(57)【特許請求の範囲】
【請求項１】
左右の底部に繋止突起をそれぞれ設けて、左右の前部に縦のスリット溝をそれぞれ設けて、後端部に鉤状の壁掛け繋止片を設けた、２個以上の上面Ｉ字状の左右の側面板を兼ねた結合部材の間に、それぞれ１枚又は２枚以上で左右幅が同一の左右の端部に繋止孔をそれぞれ設けた底面パネル部材と前面パネル部材とを、それぞれ装着して繋止した後に、パネル部材の左右幅とほゞ同一間隔の後面板を兼ねた背面台紙に設けた２個以上の繋止孔に、この結合部材の壁掛け繋止片をそれぞれ挿入して繋止したことを特徴とするユニット組立式の陳列台。
【請求項２】
前記後面板を兼ねた背面台紙の上部に吊下げ孔を設けたことを特徴とする請求項１記載のユニット組立式の陳列台。
【発明の詳細な説明】
【０００１】
【発明の属する技術分野】
本発明は、２個以上の上面Ｉ字状の、プラスチック製や金属製などの左右の側面板を兼ねた結合部材１０と、それぞれ１枚又は２枚以上で左右幅が同一の、板紙製や段ボール製やプラスチック製などの底面パネル部材２０と前面パネル部材３０と後面板を兼ねた背面台紙５０とから成る、異なった種類・数量の商品にも対応できる、ユニット（ｕｎｉｔｅ；結合する、継ぎ合す、併有する）組立式の陳列台に関する。
【０００２】
【従来の技術】
従来から、菓子・玩具・装飾品や薬品・衛生用品や各種日用品などの、各種の商品を載置して展示・販売することができる、板紙製やプラスチック製や金属製などの、複数の部材を組合せて固定的に成形した、図示していない各種形状の多数の陳列台が、一般に広く用いられている。
【０００３】
【発明が解決しようとする課題】
ところが従来の陳列台については、板紙製やプラスチック製や金属製などの、複数の部材を組合せて固定的に成形したために、店頭で各種の商品を載置して、簡単に展示・販売することができるものの、同一の種類の一定の数量の商品にしか対応できないなどの問題があって、しかも各種の商品の展示前や販売後などに、複数の部材を分解して、嵩張らない状態で搬送・保管することができないなどの問題があった。
【０００４】
ところで、本発明の目的は、必要な時に、店頭で簡単に組立てて、各種の商品を載置して展示・販売することができる、また各種の商品の展示前や販売後などの、必要でない時には、それぞれの部材を簡単に分解して、嵩張らない状態で搬送・保管することができる、しかも異なった種類・数量の商品にも対応できる、店頭での展示効果が優れたユニット組立式の陳列台を提供することにある。
【０００５】
【課題を解決するための手段】
本発明のユニット組立式の陳列台は、図２に示すように、左右の底部に繋止突起ａ・ａをそれぞれ設けて、左右の前部に縦のスリット溝ｂをそれぞれ設けて、後端部に鉤状の壁掛け繋止片１１を設けた、２個以上（図２Ａでは１２個）の上面Ｉ字状の、左右の側面板を兼ねた結合部材１０・１０・１０・…の間に、それぞれ１枚又は２枚以上（図２Ａでは９枚）で左右幅が同一の、左右の端部に繋止孔ｄ・ｄをそれぞれ設けた底面パネル部材２０・２０・…と、前面パネル部材３０・３０・…とを、それぞれ装着して繋止した後に、パネル部材２０・３０の左右幅とほゞ同一間隔の、後面板を兼ねた背面台紙５０に設けた２個以上（図２Ａでは１２個）の繋止孔ｅ・ｅ・ｅ・…に、この結合部材１０・１０・１０・…の壁掛け繋止片１１を、それぞれ挿入して繋止したことを特徴とするユニット組立式の陳列台である。
【０００６】
また加えて、本発明のユニット組立式の陳列台は、図２に示すユニット組立式の陳列台において、後面板を兼ねた背面台紙５０の上部に、図２Ａに示す吊下げ孔５１・５１を設けたことを特徴とするユニット組立式の陳列台である。
【０００７】
【作用】
本発明の、図２に示すユニット組立式の陳列台においては、左右の底部に繋止突起ａ・ａをそれぞれ設けて、左右の前部に縦のスリット溝ｂをそれぞれ設けて、後端部に鉤状の壁掛け繋止片１１を設けた、２個以上の上面Ｉ字状の、左右の側面板を兼ねた結合部材１０・１０・１０・…の間に、それぞれ１枚又は２枚以上で左右幅が同一の、左右の端部に繋止孔ｄ・ｄをそれぞれ設けた底面パネル部材２０・２０・…と、前面パネル部材３０・３０・…とを、図２Ａに示すように、左右の側面板を兼ねた結合部材１０・１０・１０・…の間の繋止突起ａ・ａに、底面パネル部材２０・２０・…の繋止孔ｄ・ｄをそれぞれ装着して繋止して、この結合部材１０・１０・１０・…の間の縦のスリット溝ｂに、前面パネル部材３０・３０・…をそれぞれ装着した後に、パネル部材２０・３０の左右幅とほゞ同一間隔の、後面板を兼ねた背面台紙５０に設けた２個以上の繋止孔ｅ・ｅ・ｅ・…に、この結合部材１０・１０・１０・…の壁掛け繋止片１１を、それぞれ挿入して繋止することによって、必要な時に、店頭で簡単に組立てて、菓子・玩具・装飾品や薬品・衛生用品や各種日用品などの、各種の商品を載置して展示・販売することができる、また各種の商品の展示前や販売後などの、必要でない時には、それぞれの部材を簡単に分解して、嵩張らない状態で搬送・保管することができる、上面Ｉ字状の結合部材１０・１０の間に、左右幅が同一のパネル部材２０・３０を装着して繋止した形状に新奇性があるなどの、店頭での展示効果が優れたユニット組立式の陳列台を提供することができる。
【０００８】
しかもまた本発明の、図２に示すユニット組立式の陳列台においては、各種の商品を載置して展示・販売する、商品の売行きなどの状況に応じて、上面Ｉ字状の結合部材１０と左右幅が同一のパネル部材２０・３０と背面台紙５０の繋止孔ｅとの、個数・枚数・個数を継足したり減らしたりして、それぞれ装着・挿入して繋止することによって、また左右幅が整数倍の複数組の、それぞれ１枚又は２枚以上で左右幅が同一のパネル部材２０・３０・を準備して、それぞれ組合せて装着・挿入して繋止することによって、異なった種類・数量の商品にも対応できる、店頭での展示効果が優れたユニット組立式の陳列台を提供することができる。
【０００９】
また加えて本発明の、図２に示すユニット組立式の陳列台において、後面板を兼ねた背面台紙５０の上部に、吊下げ孔５１・５１を設けたことによって、図２Ａに示すように、必要な時に、同様に店頭で簡単に組立てて、各種の商品を載置して、壁面や棚・天井などに吊下げて展示・販売することができる、店頭での展示効果が優れたユニット組立式の陳列台を提供することができる。
【００１０】
【実施例】
＜参考例１＞
図１Ａは、本発明の参考例１における、ユニット組立式の陳列台の斜視図であって、また図１Ｂ・図１Ｃは、上面Ｉ字状の結合部材１０の斜視図・断面図であって、さらに図１Ｄは、底面パネル部材２０の斜視図である。
【００１１】
すなわち、左右の底部に繋止突起ａ・ａをそれぞれ設けて、左右の前部と左右の後部とに縦のスリット溝ｂ・ｃをそれぞれ設けた、図１Ｂ・図１Ｃに示す上面Ｉ字状の結合部材１０であって、半透明なポリプロピレン樹脂を用いて、通常の射出成形方法で、それぞれ縦・横・高さが１４４×３２×１００ｍｍの、３個の上面Ｉ字状の、参考例１の左右の側面板を兼ねた結合部材１０・１０・１０を作製した。
【００１２】
また、左右の端部に繋止孔ｄ・ｄをそれぞれ設けた、図１Ｄに示す底面パネル部材２０と、図示していない前面パネル部材３０と後面パネル部材４０とであって、淡着色透明なポリプロピレン樹脂を用いて、通常の射出成形方法で、それぞれ２枚で左右幅が１８４ｍｍの、参考例１の底面パネル部材２０・２０と前面パネル部材３０・３０と後面パネル部材４０・４０とを作製した。
【００１３】
次に、図１Ｂ・図１Ｃに示す上面Ｉ字状の、左右の側面板を兼ねた結合部材１０・１０・１０の間の繋止突起ａ・ａに、図１Ｄに示す底面パネル部材２０・２０の繋止孔ｄ・ｄをそれぞれ装着して繋止して、この結合部材１０・１０・１０の間の縦のスリット溝ｂ・ｃに、図示していない前面パネル部材３０・３０と後面パネル部材４０・４０とをそれぞれ装着して、本発明の参考例１における、図１Ａに示すユニット組立式の陳列台を作製した。
【００１４】
本参考例の、図１に示すユニット組立式の陳列台においては、必要な時に、図１Ａに示すように、店頭で簡単に組立てて、カウンターやショーケースなどの上に置いて、各種の商品を載置して展示・販売することができるものであって、また各種の商品の展示前や販売後などの、必要でない時には、それぞれの部材を簡単に分解して、嵩張らない状態で搬送・保管することができるものであって、上面Ｉ字状の結合部材１０・１０の間に、左右幅が同一のパネル部材２０・３０・４０を装着して繋止した形状に新奇性があるなどの、店頭での展示効果が優れたユニット組立式の陳列台を得ることができた。
【００１５】
＜実施例１＞
図２Ａは、本発明の実施例１における、ユニット組立式の陳列台の斜視図であって、また図２Ｂ・図２Ｃは、上面Ｉ字状の結合部材１０の斜視図・断面図であって、さらに図２Ｄは、底面パネル部材２０の斜視図である。
【００１６】
すなわち、左右の底部に繋止突起ａ・ａをそれぞれ設けて、左右の前部に縦のスリット溝ｂをそれぞれ設けて、後端部に鉤状の壁掛け繋止片１１を設けた、図２Ｂ・図２Ｃに示す上面Ｉ字状の結合部材１０であって、参考例１と同様の半透明なポリプロピレン樹脂を用いて、通常の射出成形方法で、それぞれ縦・横・高さが７２×１６×５０ｍｍの、１２個の上面Ｉ字状の、実施例１の左右の側面板を兼ねた結合部材１０・１０・１０・…を作製した。
【００１７】
また、左右の端部に繋止孔ｄ・ｄをそれぞれ設けた、図２Ｄに示す底面パネル部材２０と、図示していない前面パネル部材３０とであって、通常の印刷をした４５０ｇ／ｍ2の裏白コートボール紙を用いて、通常の打抜型を用いた打抜工程で、それぞれ９枚で左右幅が９２ｍｍの、実施例１の底面パネル部材２０・２０・…と前面パネル部材３０・３０・…とを作製した。
【００１８】
さらに、上下間隔が２５０ｍｍで左右間隔がパネル部材２０・３０の左右幅とほゞ同一の９５ｍｍの、３段×４個の繋止孔ｅ・ｅ・ｅ・…を設けて、上部に吊下げ孔５１・５１を設けた、図２Ａに示す背面台紙５０であって、通常の印刷をした１２００ｇ／ｍ2で厚さ１．６ｍｍの合紙コートボール紙を用いて、通常の打抜型を用いた打抜工程で、横・高さが約３５×９０ｃｍの、実施例１の後面板を兼ねた背面台紙５０を作製した。
【００１９】
次に、図２Ｂ・図２Ｃに示す上面Ｉ字状の、左右の側面板を兼ねた結合部材１０・１０・１０・…の間の繋止突起ａ・ａに、図２Ｄに示す底面パネル部材２０・２０・…の繋止孔ｄ・ｄをそれぞれ装着して繋止して、この結合部材１０・１０・１０・…の間の縦のスリット溝ｂに、図示していない前面パネル部材３０・３０・…をそれぞれ装着した後に、図２Ａに示す後面板を兼ねた背面台紙５０の、３段×４個の繋止孔ｅ・ｅ・ｅ・…に、この結合部材１０・１０・１０・…の壁掛け繋止片１１を、それぞれ挿入して繋止して、本発明の実施例１における、図２Ａに示すユニット組立式の陳列台を作製した。
【００２０】
本実施例の、図２に示すユニット組立式の陳列台においては、必要な時に、図２Ａに示すように、店頭で簡単に組立てて、各種の商品を載置して、壁面や棚・天井などに吊下げて展示・販売することができるものであって、また各種の商品の展示前や販売後などの、必要でない時には、それぞれの部材を簡単に分解して、嵩張らない状態で搬送・保管することができるものであって、上面Ｉ字状の結合部材１０・１０の間に、左右幅が同一のパネル部材２０・３０を装着して繋止した形状に新奇性があるなどの、店頭での展示効果が優れたユニット組立式の陳列台を得ることができた。
【００２１】
【発明の効果】
以上、作用及び実施例に示すとおり、本発明のユニット組立式の陳列台においては、左右の底部に繋止突起をそれぞれ設けて、左右の前部に縦のスリット溝をそれぞれ設けて、後端部に鉤状の壁掛け繋止片を設けた、２個以上の上面Ｉ字状の、左右の側面板を兼ねた結合部材の間に、それぞれ１枚又は２枚以上で左右幅が同一の、左右の端部に繋止孔をそれぞれ設けた底面パネル部材と、前面パネル部材とを、それぞれ装着して繋止した後に、パネル部材の左右幅とほゞ同一間隔の、後面板を兼ねた背面台紙に設けた２個以上の繋止孔に、この結合部材の壁掛け繋止片を、それぞれ挿入して繋止することによって、必要な時に、店頭で簡単に組立てて、各種の商品を載置して展示・販売することができる、また必要でない時には、それぞれの部材を簡単に分解して、嵩張らない状態で搬送・保管することができる、しかも異なった種類・数量の商品にも対応できる、店頭での展示効果が優れたユニット組立式の陳列台を提供することができる。
【図面の簡単な説明】
【図１】  本発明の参考例１における、図１Ａは、ユニット組立式の陳列台の斜視図であって、また図１Ｂ・図１Ｃは、上面Ｉ字状の結合部材１０の斜視図・断面図であって、さらに図１Ｄは、底面パネル部材２０の斜視図である。
【図２】  本発明の実施例１における、図２Ａは、ユニット組立式の陳列台の斜視図であって、また図２Ｂ・図２Ｃは、上面Ｉ字状の結合部材１０の斜視図・断面図であって、さらに図２Ｄは、底面パネル部材２０の斜視図である。
【符号の説明】
１０    …結合部材
１１    …壁掛け繋止片
２０    …底面パネル部材
３０    …前面パネル部材
４０    …後面パネル部材
５０    …背面台紙
５１    …吊下げ孔
６０    …収容台函
６１    …左右の側面板
６２    …底面板
ａ      …繋止突起
ｂ・ｃ  …縦のスリット溝
ｄ・ｅ  …繋止孔
ｆ      …谷折り線
【図１】
0004207247.tif 000002
【図２】
0004207247.tif 000003